(57)【要約】      （修正有）【課題】各種油の廃油を効率よく引き取り、再び使用することができるように再生して供給し、コストの削減となるとともに、環境問題も改善する方法の提供。【解決手段】油種毎に分別して分別回収容器に廃油を回収する分別回収工程１０と、油種毎に準備された分別保管庫に、同じ油種の分別回収容器に貯留する廃油を集合させて回収して保管する分別保管工程２０と、予め設定された回収スケジュールに従って分別保管庫毎に貯留された廃油を回収する廃油回収工程３０と、回収した廃油を油種毎に精製して再生させる廃油再生工程４０と、精製して再生させた再生油と新油を混合して供給する油供給工程５０と、を含む廃油再生供給方法。【選択図】図１
2017213512.tif 000002
【特許請求の範囲】
【請求項１】
廃油を回収して再生し、再生油と新油を混合して供給する廃油再生供給方法であり、
油種毎に分別して分別回収容器に廃油を回収する分別回収工程と、
油種毎に準備された分別保管庫に、同じ油種の分別回収容器に貯留する廃油を集合させて回収して保管する分別保管工程と、
予め設定された回収スケジュールに従って分別保管庫毎に貯留された廃油を回収する廃油回収工程と、
回収した廃油を油種毎に精製して再生させる廃油再生工程と、
精製して再生させた再生油と新油を混合して供給する油供給工程と、
を含むことを特徴とする廃油再生供給方法。
【請求項２】
油種毎に分別して分別回収容器に廃油を回収する分別回収手段と、
油種毎に準備された分別保管庫に、同じ油種の分別回収容器に貯留する廃油を集合させて回収して保管する分別保管手段と、
予め設定された回収スケジュールに従って分別保管庫毎に貯留された廃油を回収する廃油回収手段と、
回収した廃油を油種毎に精製して再生させる廃油再生手段と、
精製して再生させた再生油と新油を混合して供給する油供給手段と、
前記分別回収手段、前記分別保管手段、前記廃油回収手段、前記廃油再生手段、前記油供給手段と、通信手段を介して接続した管理用コンピュータとを備え、
廃油を回収して再生し、再生油と新油を混合して供給することを特徴とする廃油再生供給システム。
【発明の詳細な説明】
【技術分野】
【０００１】
この発明は、例えば加工工場などから排出される廃油を回収して再生し、再生油と新油を混合して供給する廃油再生供給方法及び廃油再生供給システムに関する。
【背景技術】
【０００２】
従来、業務用廃油、例えばレストランなどから排出される廃油は、産業廃棄物として廃油処理施設により引き取られ、そして処理施設で廃油は各種処理がなされ、再び使用することができる油として再生され、廃油をリサイクルされるようにするものがある（特許文献１）。
【先行技術文献】
【特許文献】
【０００３】
【特許文献１】特開２００４−６２７４６号公報
【発明の概要】
【発明が解決しようとする課題】
【０００４】
ところで、例えば自動車の製造工場などの大型設備では、各種の機械が設置され、この機械では、例えば液圧油（駆動油）、冷却油（切削油）、バイ油（灯油洗浄用）、超精油（研磨機械用）のように種々の油が用いられているが、これらの油の価格が上昇しているため、廃油として引き取り、そして処理施設で各種処理を行い、再び使用することができれば、コストの削減となるとともに、ＣＯ２削減とした環境負荷の低減に寄与し環境問題も改善される。
【０００５】
この発明は、かかる実情に鑑みてなされたものであって、例えば自動車の製造工場などの大型設備で使用される各種油の廃油を効率よく引き取り、再び使用することができるように再生して供給し、コストの削減となるとともに、環境問題も改善することが可能な廃油再生供給方法及び廃油再生供給システムを提供することを目的とする。
【課題を解決するための手段】
【０００６】
前記課題を解決し、かつ目的を達成するために、この発明は、以下のように構成した。
【０００７】
請求項１に記載の発明は、廃油を回収して再生し、再生油と新油を混合して供給する廃油再生供給方法であり、
油種毎に分別して分別回収容器に廃油を回収する分別回収工程と、
油種毎に準備された分別保管庫に、同じ油種の分別回収容器に貯留する廃油を集合させて回収して保管する分別保管工程と、
予め設定された回収スケジュールに従って分別保管庫毎に貯留された廃油を回収する廃油回収工程と、
回収した廃油を油種毎に精製して再生させる廃油再生工程と、
精製して再生させた再生油と新油を混合して供給する油供給工程と、
を含むことを特徴とする廃油再生供給方法である。
【０００８】
請求項２に記載の発明は、油種毎に分別して分別回収容器に廃油を回収する分別回収手段と、
油種毎に準備された分別保管庫に、同じ油種の分別回収容器に貯留する廃油を集合させて回収して保管する分別保管手段と、
予め設定された回収スケジュールに従って分別保管庫毎に貯留された廃油を回収する廃油回収手段と、
回収した廃油を油種毎に精製して再生させる廃油再生手段と、
精製して再生させた再生油と新油を混合して供給する油供給手段と、
前記分別回収手段、前記分別保管手段、前記廃油回収手段、前記廃油再生手段、前記油供給手段と、通信手段を介して接続した管理用コンピュータとを備え、
廃油を回収して再生し、再生油と新油を混合して供給することを特徴とする廃油再生供給システムである。
【発明の効果】
【０００９】
前記構成により、この発明は、以下のような効果を有する。
【００１０】
請求項１及び請求項２に記載の発明では、油種毎に分別して分別回収容器に廃油を回収し、油種毎に準備された分別保管庫に、同じ油種の分別回収容器に貯留する廃油を集合させて回収して保管し、予め設定された回収スケジュールに従って分別保管庫毎に貯留された廃油を回収し、回収した廃油を油種毎に精製して再生させ、精製して再生させた再生油と新油を混合して供給し、製造工場などの大型設備で使用される各種油の廃油を効率よく引き取り、再生して供給することで、コストの削減となるとともに、環境問題も改善することが可能である。
【図面の簡単な説明】
【００１１】
【図１】廃油再生供給方法を示す概略図である。
【図２】廃油再生供給方法を示す工程図である。
【図３】油の種類を示す図である。
【図４】回収スケジュールを示す図である。
【図５】廃油再生供給システムを示す概略図である。
【発明を実施するための形態】
【００１２】
以下、この発明の廃油再生供給方法及び廃油再生供給システムの実施の形態について説明する。この発明の実施の形態は、発明の最も好ましい形態を示すものであり、この発明はこれに限定されない。
【００１３】
（廃油再生供給方法の構成）
この実施の形態の廃油再生供給方法を、図１乃至図４に基づいて説明する。図１は廃油再生供給方法を示す概略図、図２は廃油再生供給方法を示す工程図、図３は油の種類を示す図、図４は回収スケジュールを示す図である。
【００１４】
この実施の形態の廃油再生供給方法は、廃油を回収して再生し、再生油と新油を混合して供給する方法であり、分別回収工程１０と、分別保管工程２０と、廃油回収工程３０と、廃油再生工程４０と、油供給工程５０とを含む。
【００１５】
分別回収工程１０では、例えば自動車の製造工場などの大型設備では、各種の機械１〜９が設置され、この機械１〜９では、例えば液圧油（駆動油）、冷却油（切削油）、バイ油（灯油洗浄用）、超精油（研磨機械用）のように種々の油が用いられており（図３）、油種毎に分別して分別回収容器１１に廃油を回収する。
【００１６】
分別保管工程２０では、油種毎に分別保管庫２１が準備されており、この油種毎に準備された分別保管庫２１に、同じ油種の分別回収容器１１に貯留する廃油を集合させて回収して保管する。この分別回収容器１１から廃油を集合させて分別保管庫２１に回収して保管する方法は、配管を接続して常時回収してもよいし、定期的に回収してもよい。また、分別回収容器１１に廃油が所定量溜まると、分別回収容器１１を移動して分別保管庫２１へ移すようにして回収するようにしてもよい。
【００１７】
廃油回収工程３０では、予め設定された回収スケジュールに従って分別保管庫毎に貯留された廃油を油種毎の専用回収容器３１に入れて回収する。回収スケジュールは、図４に示すように、例えば月曜日は機械１及び機械２、火曜日は機械３及び機械４、水曜日は機械５及び機械６、木曜日は機械７及び機械８、金曜日は機械９からの廃油を回収するように設定されており、廃油を曜日に分けて回収し、回収労力が過度にならないようにしている。
【００１８】
廃油再生工程４０では、油種毎の専用回収容器３１を受け取り、伝票を添付して精製作業の受付４１を行い、廃油の分析チック４２を行い、再生ができないものを不合格として廃棄し、再生が可能なものを合格として受け付けて油種毎の専用処理前容器４３に入れてストックヤードに保管する。ストックヤードに保管された専用処理前容器４３毎の廃油を精製装置４４により再生し、伝票を添付して精製作業の完了４５を行い、再生油の分析チック４６を行い、再生利用ができないものを不合格として廃棄し、再生利用が可能なものを合格として油種毎の専用処理後容器４７に入れてストックヤードに保管し、回収した廃油を油種毎に精製して再生させる。
【００１９】
例えば、エンジンオイルなどの廃油は、精製装置４４では、ヒーター付廃油精製炉で４００〜４５０℃の高温に加熱して沈殿タールと気化ガスとに分離し、その気化ガスを冷却槽で約１７０℃に冷却し、液化させて再生オイルを得る方法がとられ、また、例えば、油圧作動油の廃油は、夾雑物や劣化したスラッジを除去し、軽い化学処理で再生すれば、作動油としての機能を回復することができる。精製装置４４では、液圧油（駆動油）、冷却油（切削油）、バイ油（灯油洗浄用）、超精油（研磨機械用）のように種々の廃油に応じた公知の方法で再生される。
【００２０】
油供給工程５０では、油種毎の専用処理後容器４７に入れた精製して再生させた再生油と新油を混合し、油種毎の専用供給容器５１に入れて対応する各種の機械１〜９に供給する。例えば、再生油と新油を混合する混合比を、１：２とする。
【００２１】
このように、油種毎に分別して分別回収容器１１に廃油を回収し、油種毎に準備された分別保管庫２１に、同じ油種の分別回収容器１１に貯留する廃油を集合させて回収して保管し、予め設定された回収スケジュールに従って分別保管庫毎に貯留された廃油を回収し、回収した廃油を油種毎に精製して再生させ、精製して再生させた再生油と新油を混合し、油種毎の専用供給容器５１に入れて供給する。製造工場などの大型設備で使用される各種油の廃油を効率よく引き取り、再生して供給することで、コストの削減となるとともに、環境問題も改善することが可能である。
【００２２】
（廃油再生供給システムの構成）
この実施の形態の廃油再生供給システムを、図５に基づいて説明する。図５は廃油再生供給システムを示す概略図である。
【００２３】
この実施の形態の廃油再生供給システムは、廃油を回収して再生し、再生油と新油を混合して供給するシステムであり、分別回収手段１１０、分別保管手段１２０、廃油回収手段１３０、廃油再生手段１４０、油供給手段１５０と、通信手段を介して接続した管理用コンピュータ１６０とを備える。
【００２４】
分別回収手段１１０では、例えば自動車の製造工場などの大型設備では、各種の機械１〜９が設置され、この機械１〜９では、例えば液圧油（駆動油）、冷却油（切削油）、バイ油（灯油洗浄用）、超精油（研磨機械用）のように種々の油が用いられており（図３）、油種毎に分別して分別回収容器１１に廃油を回収する。この機械１〜９には、通信手段１１１が設けられており、分別回収容器１１に回収される廃油の回収情報を、通信手段１１１を介して管理用コンピュータ１６０へ送る。この廃油の回収情報は、分別回収容器１１に回収される廃油の量である。
【００２５】
分別保管手段１２０では、油種毎に分別保管庫２１が準備されており、この油種毎に準備された分別保管庫２１に、同じ油種の分別回収容器１１に貯留する廃油を集合させて回収して保管する。この分別保管庫２１には、通信手段１２１が設けられ、分別回収容器１１から廃油を集合させて分別保管庫２１に回収して保管する保管情報を、通信手段１２１を介して管理用コンピュータ１６０へ送る。この保管する保管情報は、分別保管庫２１に回収して保管される廃油の量である。
【００２６】
廃油回収手段１３０では、作業者の通信手段１３１が管理用コンピュータ１６０に記憶された回収スケジュールを受信し、この通信手段１３１は、携帯端末で構成される。作業者は、予め設定された回収スケジュールに従って分別保管庫毎に貯留された廃油を油種毎の専用回収容器３２に入れて回収する。回収スケジュールは、回収スケジュール入力手段１６１によって管理用コンピュータ１６０に入力され、メモリ１６２に記憶されている。回収スケジュール入力手段１６１は、マウスやキーボードなどで構成される。
【００２７】
廃油再生手段１４０では、装置の通信手段１４１が管理用コンピュータ１６０に記憶された回収スケジュールを受信し、回収スケジュールに従って油種毎の専用回収容器３２を受け取り、伝票を添付して精製作業の受付４１を行い、廃油の分析チック４２を行い、再生ができないものを不合格として廃棄し、再生が可能なものを合格として受け付けて油種毎の専用処理前容器４３に入れてストックヤードに保管する。ストックヤードに保管された専用処理前容器４３毎の廃油を精製装置４４により再生し、伝票を添付して精製作業の完了４５を行い、再生油の分析チック４６を行い、再生利用ができないものを不合格として廃棄し、再生利用が可能なものを合格として油種毎の専用処理後容器４７に入れてストックヤードに保管し、回収した廃油を油種毎に精製して再生させる。
【００２８】
油供給手段１５０では、作業者の通信手段１５１が管理用コンピュータ１６０に記憶された回収スケジュールを受信し、この通信手段１５１は、携帯端末で構成される。作業者は、油種毎の専用処理後容器４７に入れた精製して再生させた再生油と新油を混合し、油種毎の専用供給容器５１に入れて対応する各種の機械１〜９に供給する。
【産業上の利用可能性】
【００２９】
この発明は、加工工場などから排出される廃油を回収して再生し、再生油と新油を混合して供給する廃油再生供給方法及び廃油再生供給システムに適用可能であり、
例えば自動車の製造工場などの大型設備で使用される各種油の廃油を効率よく引き取り、再び使用することができるように再生して供給し、コストの削減となるとともに、環境問題も改善することが可能である。
【符号の説明】
【００３０】
１０  分別回収工程
１１  分別回収容器
２０  分別保管工程
２１  分別保管庫
３０  廃油回収工程
３１  回収スケジュール
３２  専用回収容器
４０  廃油再生工程
４１  伝票を添付して精製作業の受付
４２  廃油の分析チック
４３  専用処理前容器
４４  精製装置
４５  精製作業の完了
４６  再生油の分析チック
４７  専用処理後容器
５０  油供給工程
５１  専用供給容器
１１０  分別回収手段
１２０  分別保管手段
１３０  廃油回収手段
１４０  廃油再生手段
１５０  油供給手段
１６０  管理用コンピュータ
１１１，１２１，１５１，  通信手段
１６１  回収スケジュール入力手段
１６２  メモリ
【図１】
2017213512.tif 000003
【図２】
2017213512.tif 000004
【図３】
2017213512.tif 000005
【図４】
2017213512.tif 000006
【図５】
2017213512.tif 000007